(57)【要約】      （修正有）【課題】太陽熱と人力以外の動力を使うことなく、海水から簡易な方法で飲むに足る程度の蒸留水を作り、海難事故でも壊れることなく、かつ海上で揺れていても使える海水蒸留装置を提供する。【解決手段】原水タンク１に海水３を入れ密閉蓋４で密閉し、太陽熱５で加熱して水蒸気６を発生させる。その水蒸気６を、断熱材を巻いたフレキシブルな送気ホース７を経由して冷却箱８に入れる。冷却蓋９で密閉し、蓋を外から海水３で冷却して内壁に結露水１１を得る。【選択図】図１
0003175759.tif 000002
【実用新案登録請求の範囲】
【請求項１】
原水タンク１に海水３を入れ密閉蓋４で密閉し、太陽熱５で加熱して水蒸気６を発生させる。その水蒸気６を、断熱材を巻いたフレキシブルな送気ホース７を経由して冷却箱８に入れる。冷却蓋９で密閉し、蓋の外を海水３で冷却して温度差による結露で蓋の内壁に結露水１１を得る装置。
【考案の詳細な説明】
【技術分野】
【０００１】  この考案は、海水蒸留装置に関するものである。
【背景技術】
【０００２】  海には海水があるが塩分が強く人間はそのままでは飲めない。そのため海上を航行する船舶や救命ボートには多量の飲料水を積んでおく必要があった。【０００３】  飲料水を海水から得るための簡単な装置が今までなかった。従来の淡水化技術には逆浸透膜装置や加熱蒸留装置などがあるが、これらは海水から良質で大量の水道用水を作るためのものであったから、大きく、重く、精密な装置であり、揺れる救命ボート上などで使えるものはなかった。【０００４】  従来の技術には同一空間内で蒸気発生と結露をさせるものなどもあるが、揺れる救命ボート上などでは原水と蒸留水が混じるので使えなかった。
【先行技術文献】
【特許文献】
【特許文献１】特許公開２００４−１５４６９１号
【特許文献２】特許公開平１０−５２６８３号
【考案の概要】
【考案が解決しようとする課題】
【０００５】  本考案が解決しようとする第一の課題は、海難事故等で海上を漂流しながら救助を待つ間に於いて、簡単な装置で海水から飲むに足る程度の飲料水をつくることである。【０００６】  本考案が解決しようとする第二の課題は、設置場所が多少揺れても飲み水が採取できる事である。【０００７】  本考案が解決しようとする第三の課題は、人力と太陽熱以外の動力を使用しないことである。【０００８】  本考案が解決しようとする第四の課題は、装置が簡単で壊れ難く、操作が簡単で分かり易いことである。【０００９】  本考案が解決しようとする第五の課題は、装置を軽量でコンパクトに纏め、水に浮くことである。
【課題を解決するための手段】
【００１０】  水は１００℃では激しく蒸発するが、もっと低い温度でも飽和状態までは空気中に蒸発し続ける。温度が高いほど空気中の単位体積あたりの飽和水蒸気の量は多い。密閉された小空間内では水は短時間で飽和水蒸気になり、飽和水蒸気は少しでも温度が低い物質の表面に触れると結露が起こる。本考案は、海水を箱に入れ、太陽熱で加熱して水蒸気を発生させる。その水蒸気を海水で冷却して、温度差によって結露させて蒸留水を作る装置である。この構成によって、上記課題を解決する。
【考案の効果】
【００１１】  本考案によれば、原料である海水は無限に近くあるから、補給しただけ飲料水が供給できる。【００１２】  本考案によれば、太陽熱と人力以外の特別な動力が要らない。原水タンク内の海水から水蒸気が発生し、加圧されて自動的に冷却箱に移動する。そこで結露して減圧するから、空気中の水蒸気は飽和状態を維持しながら同じサイクルを繰り返す事が出来る。【００１３】  本考案によれば、部品数が少なく、精密な機構はないので、故障しにくい。【００１４】  本考案の主要装置は防水密閉箱であるので、救命用浮きとして使用できる。【００１５】  本考案は、非常用食品や救急道具類の収納箱として使用できる。
【図面の簡単な説明】
【００１６】
【図１】この考案の実施形態の概要を示すａ−ａ断面図である。
【図２】この考案の冷却箱８の概要を示すｂ−ｂ断面図である。
【図３】この考案の概要を示す斜視図である。
【図４】この考案の概要を示す斜視図で、冷却箱８の裏側を示す。
【考案を実施するための形態】
【００１７】  原水タンク１と密閉蓋４を熱伝導率の良い材料でつくり、その表面に熱吸収が良い黒つや消し塗装をする。原水タンク１に、柄杓２を使い人力１７で海水３をすくって入れ、密閉蓋４で密閉し、太陽熱５をあてる。原水タンク１と密閉蓋４は太陽熱５で加熱され、内部に入れた海水３は高温となり飽和状態まで水蒸気６を発生する。水蒸気６は、断熱材を巻いたフレキシブルな送気ホース７で冷却箱８に移動する。冷却箱８は冷却蓋９で蓋をする。冷却蓋９の表面にはガーゼ様の気化促進布１０を被せる。冷却箱８は水平に対し水が流れる程度に傾けて日陰に設置する。海水３を、柄杓２を使って人力１７で汲んで冷却蓋９の表面に設けた気化促進布１０に散布する。冷却蓋９の下部に海水受け溝１５を設け、余った海水は海水排水ホース１６で海に排水する。海水により冷却蓋９が冷やされ、冷却箱８内の水蒸気６は冷却蓋９の内壁に結露水１１となる。結露水１１は、斜面を伝って冷却箱８の下部に溜まる。止水栓１２を開けて排水ホース１３で貯水ボトル１４に溜めて、飲料その他に用いる。水が出なくなったら、原水タンク１の密閉蓋４を開け、タンク内に溜まった塩等の結晶体を除去し、再度原水を入れ、プロセスを継続する。
【実施例１】
【００１８】  原水タンク１に海水３を入れ、密閉蓋４で密閉し、太陽熱５を受け加熱蒸発させる。断熱材を巻いたフレキシブルな送気ホース７で冷却箱８とつなぐ。冷却箱８は冷却蓋９で密閉する。蓋の表面を海水で冷却し、その内側に結露させる。結露水１１を貯水ボトル１４に排出する。
【実施例２】
【００１９】  冷却蓋９の上部に底に散水穴の開いたじょうろ状の箱を設け、その箱に海水を入れて冷却蓋９に散水すると、散布回数が減り、満遍なく散布が出来、空中での気化熱発散での冷却効果もある。
【実施例３】
【００２０】  気化促進布１０の下部を、海水を入れたバケツなどにつけて毛細管現象により冷却用水を供給する方法も用いる事が出来る。
【実施例４】
【００２１】  海水を汲み上げるには、手動または風車により揚水ポンプを作動させて行なう方法や、太陽光で発電しその動力で揚水ポンプを作動させる方法なども同様に用いる事ができる。
【実施例５】
【００２２】  取り扱い方法を、原水タンク１や冷却箱８の表面と内面に表示しておくと、知らない人でも使用できる。
【実施例６】
【００２３】  ロープと防水シートを適当数付属させておくと以下のように多々便利である。原水タンク１および冷却箱８にフックを適宜取り付け、タンクと箱の位置及び角度を、フックに結んだロープで調整して固定設置する。防水シートを冷却箱８の上にロープで張り、日陰を作る。冷却蓋９への海水散布時に冷却用海水が船内や貯水ボトル１４に流れ込まないように防水シートを使用する。
【産業上の利用可能性】
【００２４】  本考案によれば、海上で海水から救急用飲料水を採取できる。【００２５】  本考案によれば、海水以外の水からも救急用飲料水を採取できる。
【符号の説明】
【００２６】  １  原水タンク
２  柄杓
３  海水
４  密閉蓋
５  太陽熱
６  水蒸気
７  送気ホース
８  冷却箱
９  冷却蓋
１０  気化促進布
１１  結露水
１２  止水栓
１３  排水ホース
１４  貯水ボトル
１５  海水受け溝
１６  海水排水ホース
１７  人力
【図１】
0003175759.tif 000003
【図２】
0003175759.tif 000004
【図３】
0003175759.tif 000005
【図４】
0003175759.tif 000006
【手続補正書】
【提出日】平成24年3月1日(2012.3.1)
【手続補正１】
【補正対象書類名】実用新案登録請求の範囲
【補正対象項目名】請求項１
【補正方法】変更
【補正の内容】
【請求項１】
熱伝導率の良い材料で箱状の原水タンク１を作り、表面に熱吸収が良い黒つや消し塗装をした密閉蓋４で蓋をして日当たりのよい場所に設置し、柔らかい断熱材を巻いた柔らかい送気ホース７で、冷却蓋９で蓋をした冷却箱８とを繋ぎ、冷却蓋９の表面にはガーゼ様の気化促進布１０を被せ、下部には海水受け溝１５を設けて海水排水ホース１６によって排水できる形状にし、冷却箱８を冷却蓋９の表面を水が流れる程度に傾けて日陰に設置し、冷却箱８の下部には排水ホース１３を設け、蒸留水を貯水ボトル１４で受けるように構成した海水蒸留装置。